(57)【要約】  回路システムは、ユーザインターフェース、電圧源、および電圧源に接続された端子バンクを含む。回路は、カテーテルが、１つ以上のワイヤで構成された編組のような構造補強層を含む、電力供給型カテーテルシステムにおいて使用され得る。補強層は、電力供給型カテーテルにおいて電流または信号を伝達するために使用され得る。カテーテルは、電力供給型カテーテルにおける複数のシステムに電力供給し、同システムを制御するために、統合されたセンサを提供するハイポチューブエレメントを利用し得る。
2018524130.tif 000002
【特許請求の範囲】
【請求項１】
近位端および遠位端を有する細長い管状部分と、
前記近位端と前記遠位端との間で延伸する複数のワイヤと、
前記細長い管状部分の前記遠位端に配置されたハイポチューブであって、前記複数のワイヤの１つ以上に接続された複数の電気経路を有するハイポチューブと、
前記ハイポチューブに接続され、前記電気経路の１つ以上と電気通信している１つ以上の電動コンポーネントと、
前記複数のワイヤの少なくとも２つを介して前記ハイポチューブに電力を供給するように前記細長い管状部分の前記近位端に接続可能なインターフェースと
を具備するカテーテル。
【請求項２】
前記ハイポチューブは、金めっきポリイミドで構成される、請求項１に記載のカテーテル。
【請求項３】
前記ハイポチューブ上の前記電気経路は、前記ハイポチューブをレーザーカットすることによって形づくられる、請求項１に記載のカテーテル。
【請求項４】
前記ハイポチューブはさらに、プラス端子バンク領域およびマイナス端子バンク領域を有する、請求項１に記載のカテーテル。
【請求項５】
前記１つ以上の電動コンポーネントは、各々が前記プラス端子バンク領域および前記マイナス端子バンク領域に接続された複数の電動コンポーネントである、請求項４に記載のカテーテル。
【請求項６】
前記１つ以上の電動コンポーネントは、撮像センサ、圧力センサ、温度センサ、および酸素センサから選択される、請求項１に記載のカテーテル。
【請求項７】
前記１つ以上の電動コンポーネントは、ヒーターまたは機械ラッチシステムから選択される、請求項１に記載のカテーテル。
【請求項８】
前記ハイポチューブはさらに、回路を含む、請求項１に記載のカテーテル。
【請求項９】
前記回路は、ホイートストンブリッジである、請求項８に記載のカテーテル。
【請求項１０】
前記回路は増幅器である、請求項８に記載のカテーテル。
【請求項１１】
前記ハイポチューブは、前記ハイポチューブの内部に沿って配置された複数の電気接点を含む、請求項１に記載のカテーテル。
【請求項１２】
近位端および遠位端を有する細長い管状部分と、
前記細長い管状部分の前記遠位端に配置され、１つ以上の電気経路を形成するハイポチューブと、
前記ハイポチューブに接続され、前記電気経路の１つ以上と電気通信している１つ以上の電動コンポーネントと、
前記複数の編組ワイヤの少なくとも２つを介して前記ハイポチューブに電力を供給するように前記細長い管状部分の前記近位端に接続可能なインターフェースと
を具備するカテーテル。
【請求項１３】
前記細長い管状部分を支持する複数の編組構造ワイヤをさらに備え、前記編組構造ワイヤは、前記ハイポチューブと前記カテーテルの近位端のインターフェースとに電気的に接続される、請求項１２に記載のカテーテル。
【請求項１４】
前記１つ以上の電動コンポーネントは、撮像センサ、圧力センサ、温度センサ、および酸素センサから選択される、請求項１２に記載のカテーテル。
【請求項１５】
前記１つ以上の電動コンポーネントは、ヒーターまたは機械ラッチシステムから選択される、請求項１２に記載のカテーテル。
【発明の詳細な説明】
【関連出願】
【０００１】
本願は、２０１５年５月２９日に出願された、「カテーテルのためのハイポチューブ回路」と題する、米国仮出願番号第６２／１６８,５２５号の優先権を主張し、それは、これによりその全内容が引用によってここに組み込まれる。
【技術分野】
【０００２】
本発明の一態様は、編組のような構造補強材を備え、カテーテルにおいて電流および／または信号を伝達するために構造補強エレメントを利用するカテーテルに関する。
本発明の別の態様は、カテーテルのような介入デバイスにおいて使用され得る回路システムに関する。
【背景技術】
【０００３】
典型的な回路は、陽極および陰極を利用し、かくして、典型的には電流のための供給路および帰還路のための２セットのワイヤを必要とする。カテーテルによって使用される回路システムもまたそのような配列を利用するか、または接地として患者自身を利用する。典型的な配列は、カテーテルの遠位端の近位から走るワイヤのセットを利用する。
【０００４】
ここで開示される実施形態は、電力供給および帰還バンク（すなわち、プラスおよびマイナス）を提供する接続の第１のセットとセンサの近傍に配置された電力供給および帰還バンクを利用するセンサとで構成された回路を説明する。回路システムは、ハイポチューブを利用することができ、カテーテルを含む多数のデバイスにおいて使用されることができる。ハイポチューブ自体が、回路化されることができ、１つ以上のセンサを含むことができる。
【発明の概要】
【０００５】
一実施形態において、回路システムは、端子バンクと、端子バンクを利用する１つ以上のセンサとを利用する。
【０００６】
別の実施形態において、回路システムは、電圧源、端子バンク、および端子バンクに接続する１つ以上のセンサを利用する。
【０００７】
別の実施形態において、回路システムは、ハイポチューブを利用し、ここで、ハイポチューブは、端子バンクおよび１つ以上のセンサを含む。
【０００８】
別の実施形態において、編組カテーテルは、回路において電流を伝達するために、編組を備えるワイヤのいくつかを利用する。
【０００９】
別の実施形態において、編組カテーテルは、回路において信号を伝達するために、編組を備えるワイヤのいくつかを利用する。
【００１０】
別の実施形態において、編組カテーテルは、端子バンクに電流を伝達するために、編組を備える構成ワイヤのいくつかを利用する。
【００１１】
別の実施形態において、編組カテーテルは、端子バンクに電流を伝達するために、編組を備える構成ワイヤのいつかを利用し、ここで、１つ以上のセンサが端子バンクに接続される。
【００１２】
別の実施形態において、編組カテーテルは、複数のワイヤを備え、ここで、編組を備える構成ワイヤのいくつかは、端子バンクに連結するために使用される。
【００１３】
別の実施形態において、編組カテーテルは、複数のワイヤを備え、ここで、ワイヤのいくつかは、回路のための供給路および帰還路として使用され、ワイヤのいくつかは、信号を伝達する。
【００１４】
別の実施形態において、編組カテーテルは、複数のワイヤを備え、ここで、ワイヤのいくつかは、回路のための供給路および帰還路として使用され、ワイヤのいくつかは、１つ以上のセンサとユーザインターフェースとの間で信号を伝達する。
【００１５】
別の実施形態において、編組カテーテルは、ハイポチューブを備える。
【００１６】
別の実施形態において、編組カテーテルは、ハイポチューブを備え、ここで、ハイポチューブは、端子バンクを含む。
【００１７】
別の実施形態において、編組カテーテルは、ハイポチューブを備え、ここで、ハイポチューブは、端子バンクおよび１つ以上のセンサを含む。
【００１８】
別の実施形態において、電力供給型カテーテルは、ハイポチューブを含む。
【００１９】
別の実施形態において、回路は、ハイポチューブを含み、ここで、ハイポチューブは、端子バンクおよび１つ以上のセンサを含む。
【００２０】
別の実施形態において、電力供給型カテーテルは、ハイポチューブを含み、ここで、ハイポチューブは、端子バンクおよび１つ以上のセンサを含む。
【００２１】
別の実施形態において、電力供給型カテーテルは、可変コイル離脱システムを含む。
【００２２】
別の実施形態において、電力供給型カテーテルは、カテーテル遠位先端離脱システムを含む。
【００２３】
別の実施形態において、電力供給型カテーテルは、操縦可能なガイドワイヤシステムを含む。
【００２４】
発明の実施形態が実現可能なこれらのおよび他の態様、特徴、および利点が、添付図面を参照しながら、本発明の実施形態の以下の説明から明らかにされ、解明される。
【図面の簡単な説明】
【００２５】
【図１】本発明に係るカテーテルおよびカテーテルインターフェースを示す図である。
【図２】本発明に係る、カテーテルの遠位端の間で電気信号を送達するように構成された複数の編組構造ワイヤを有するカテーテルの細長い管の破断図である。
【図３Ａ】本発明に係る電気信号を送達する構造ワイヤの例示的な横断面を示す図である。
【図３Ｂ】本発明に係る電気信号を送達する構造ワイヤの例示的な横断面を示す図である。
【図４】カテーテルの遠位端に配置されたいくつかのセンサに電力供給するインターフェースの平面図である。
【図５】２つの電力ワイヤのみを介していくつかのセンサに電力供給し、複数のデータワイヤを介してデータ信号を送信するインターフェースを示す図である。
【図６】複数のセンサ、接続点、および回路の経路を有するハイポチューブの例を示す図である。
【図７】カテーテルの通路内に配置されたプッシャーまたはインプラントの部分に接触するように配列された複数の電気接点を有するハイポチューブの代替の実施形態を示す図である。
【図８】カテーテルの通路内に配置されたプッシャーまたはインプラントの部分に接触するように配列された複数の電気接点を有するハイポチューブの代替の実施形態を示す図である。
【図９Ａ】電力を供給する複数の構造ワイヤに接続され、インプラントの部分に接触するように構成された電気接点を有するハイポチューブを有するカテーテルを示す図である。
【図９Ｂ】電力を供給する複数の構造ワイヤに接続され、インプラントの部分に接触するように構成された電気接点を有するハイポチューブを有するカテーテルを示す図である。
【図１０】離脱場所を有する塞栓コイルを示す図である。
【図１１】離脱場所を有する塞栓コイルを示す図である。
【図１２】カテーテルの遠位部分の選択的な離脱を可能にするように電力を供給する複数の構造ワイヤに接続されたハイポチューブを有するカテーテルを示す図である。
【図１３】カテーテルの遠位部分の選択的な離脱を可能にするように電力を供給する複数の構造ワイヤに接続されたハイポチューブを有するカテーテルを示す図である。
【図１４】複数のヒーターコイルを有するハイポチューブを示す図である。
【図１５】複数のヒーターコイルを有するハイポチューブを示す図である。
【発明を実施するための形態】
【００２６】
本発明の特定の実施形態が、添付図面を参照してここで説明される。しかしながら本発明は、多くの異なる形態で具現化されることができ、ここで述べられる実施形態に限定されるものとして解釈されるべきではなく、むしろこれらの実施形態は、本開示が徹底的および完全であるように、かつ当業者に発明の範囲を十分に伝えるように、提供される。添付図面に示される実施形態の詳細な説明において使用される専門用語は、発明の限定を意図するものではない。図面において、同様の番号は同様のエレメントを指す。
【００２７】
コンポーネントについてのさまざまな異なる実施形態および／または変形例がここで説明される、ということが理解されるべきである。これらの実施形態およびコンポーネントの各々は、互いとともに使用されることができ、および／または互いに入れ替えられることができる、ということが本願の意図である。したがって、特定の実施形態は、ここで説明される別の実施形態の特徴を特定しないかもしれない一方で、そのような組み合わせが意図され、本発明に含まれる。
【００２８】
図１は、カテーテル１０の細長い管状部分１１を構成する構造ワイヤによって電力およびデータを送達するカテーテル１０（またはあるいはマイクロカテーテル）を示す。カテーテル１０は、ケーブル１５を介してカテーテルにおよびカテーテルから電力および／またはデータを提供するインターフェース１６に接続される。構造ワイヤが電力／データのために使用されることを可能にすることにより、カテーテルのサイズまたは直径が最小化されることができる。加えて、複数の電動コンポーネント（たとえば、センサ）およびさらには回路が、カテーテル１０における遠位端１１Ａ（または他の場所）において使用されることができる。
【００２９】
本発明の実施形態のいくつかが、電力供給し、センサのような電気コンポーネントからデータを得るという観点で説明され得る一方で、さまざまな異なる電力供給型エレメントが可能であることが理解され得るべきである。たとえば、ヒーターコイル、機械ラッチ、および同様の電力供給型インプラント離脱メカニズムが、本発明にしたがって電力供給され得る。他の例において、他の電力供給型エレメントは、撮像システム、圧力センシング、温度センシング、および酸素センシングを含み得る。
【００３０】
図２は、遠位に配置されたレセプタクル１２によって終結し、同レセプタクル１２に接続する、カテーテル１０の細長い管状部分１１の一部である複数の編組構造ワイヤ１８を示す。これらのワイヤ１８は、細長い管状部分１１に構造的支持を提供し、また、カテーテル１０の近位端に電気電力および／またはデータを送達するために使用され得る。図１の編組は、管状の形状に編み組まれた８つのワイヤ（１８Ａ〜１８Ｆ）で構成される。編組ワイヤ１８は、１）細長い管状部分１１の管の外表面上、２）管状部分１１の２つ以上の層の間に「サンドイッチ状にはさまれる」（すなわち、管の内部または外部に露出されない）、３）管状部分１１の内部通路に露出されるように、管状部分１１の内表面に沿って配置される、といった具合に、細長い管状部分１１の一部としていくつかの異なる位置に配置され得る。
【００３１】
図３Ａに示す一実施形態において、編組構造ワイヤ１８は、構造的にカテーテルに適した金属材料２５（たとえば、ニチノールまたはステンレス鋼）であり得、高伝導層２３（たとえば、金）によってコーティングされ、続いて、電気的絶縁体２１（たとえば、ポリアミド）でコーティングされる。
【００３２】
図３Ｂに示す別の実施形態において、管状編組を備える編組構造ワイヤ１８は、電流／信号を効率的に伝達するために完全な伝導材料２３（たとえば、金）で作られ、電流／信号が伝達されている間にそれの放電を防止する電気的絶縁コーティング２３をさらに含む。ワイヤ１８が図３Ａおよび図３Ｂにおいて丸いまたは円形の横断面を有するものとして描かれている一方で、相対的に平らな、楕円の、長方形の、および正方形の、といった他の形状もまた可能である。
【００３３】
図４は、４つの電気コンポーネント（２６Ａ〜２６Ｄ）および複数の構造ワイヤ１８を有する例示的な回路システムの抽象的な模式図を示す。各々の電気コンポーネント２６Ａ〜２６Ｄは、インターフェース１６における電力源のプラスおよびマイナス端子に接続された２つのワイヤに接続され、インターフェース１６は、それによって電気コンポーネントに電力を供給する。この点において、図２に示す８つのワイヤの例は、電気コンポーネントのすべてに電力供給し、インターフェース１６にデータを通信し返すために使用され得る。同様に、各々の電気コンポーネントは回路を完成させるために２つのワイヤ１８を必要とするであろうから、１０個のワイヤ編組は、５つの電気コンポーネントを可能にするであろうし、１６個のワイヤ編組は、８つの電気コンポーネントを可能にするであろう。この点について、２、４、６、８、１０、１２、１４、１６、および１８といった任意の数のワイヤが使用され得る。
【００３４】
図５は、ワイヤ１８のうち２つだけがインターフェース１６のプラスおよびマイナスの電圧源（たとえば、バッテリー）を介して電力を提供する回路構成の別の実施形態を示す。ワイヤは、カテーテル１０の遠位端１１Ａにまたは遠位端１１Ａの近傍に配置された分離された電気端子２０および２２に接続する。電気コンポーネント２６Ａ〜２６Ｄは各々、電力がインターフェース１６から電気コンポーネントの各々に供給されることを可能にするワイヤ１７（または任意の他の電気経路）を介してこれらの端子２０、２２に接続される。
【００３５】
そして、電気コンポーネント２６Ａ〜２６Ｄの各々からのデータまたは信号は、カテーテル１０の編組ワイヤ１８の１つを介して電気コンポーネントからユーザインターフェースに伝達される。このように、たとえば、８つのワイヤ編組は、４つの電気コンポーネントではなく、最大６つの電気コンポーネントを利用することができる。同様に、１０個のワイヤ編組は、最大８つの電気コンポーネント（プラスおよびマイナス端子接続のために使用される２つのワイヤおよび各々の電気コンポーネントに接続するために使用される残りのワイヤ）を利用し得、１２個のワイヤ編組は、最大１０個の電気コンポーネントを利用し得る、といった具合である。
【００３６】
（センサのような）いくつかの電気コンポーネントが（たとえば、ワイヤ上の抵抗の変化が測定されるサーミスタのように）、動作し、データを送り返すために２つの電力ワイヤのみを必要とする一方で、他の電気コンポーネントまたはセンサは、データを伝達するために１つ以上の追加のワイヤ（たとえば、全部で３つのワイヤ）を必要とする、ということが理解されるべきである。そのようなものとして、これらの実施形態の各々において使用されるワイヤの数はまた、使用される電気コンポーネントのタイプに依存する。
【００３７】
ユーザインターフェース１６は、好ましくは、ユーザがシステムの他端で結果をもたらす（たとえば、インプラントまたはカテーテル１０の遠位部分１１Ａを離脱させる）ための制御の（たとえば、ボタン１６Ａを押す）ポイントとして働く。電気コンポーネントが血管の生理的状態（たとえば、圧力または温度）を感知するために使用される場合、ユーザインターフェースは、観察される特定の生理的状態を示すディスプレイ１６Ｂ（ならびに基礎をなすＣPU／マイクロプロセッサと、メモリと、データを処理し、ディスプレイをドライブするためのソフトウェア）を有し得る。ユーザインターフェース１６はまた、好ましくは、一例ではプラスおよびマイナス端子を有するバッテリーを介した、回路のための電圧源を含む。
【００３８】
一実施形態において、図５の端子バンクおよび電気コンポーネントの構成は、図２のレセプタクル１２と同様の、カテーテル１０の遠位端の近傍に配置されたハイポチューブによって形成され得る。これは、図５の回路の遠位部（すなわち、端子バンク２０、２２および電気コンポーネント２６Ａ〜２６Ｄを備える、図の左側）の回路の概念を採用し、それを円筒状または環状に構成することによって想像され得る。図６は、そのような回路のハイポチューブの表現３０を示す。ハイポチューブ３０は、編組ワイヤ１８の遠位端が接続する、および／またはそうでなければその中に嵌め合う、複数の切り欠きまたは切り抜きエリア２４を含む。編組のワイヤ１８は、ハイポチューブ３０とのぴったりフィットする接続を作成するために、切り抜きセクション２４に溶接されるかまたはそうでなければ電気機械的に接合され得る。
【００３９】
ハイポチューブ３０はまた、埋め込まれた回路２５を含み得る。この回路２５は、追加の機能および／または電気コンポーネント信号の処理を提供するために、電気コンポーネント２６Ａ〜２６Ｄに接続し得る。この回路２５はまた、回路２５のための電力を得るために、図５におけるエレメント２６によって示されているように、プラスおよびマイナスの電圧端子バンク２０、２２に接続され得る。
【００４０】
ハイポチューブ３０は、切り抜きセクション２４を含むパターンにカット（たとえば、レーザーカット）され得る。ハイポチューブ３０は好ましくは、高伝導であり、高い機械的強度を有し、かつ他のワイヤおよび材料の容易な終結／接続を可能にする材料で作られる。一例において、ハイポチューブは、金めっきポリイミドで構成され、追加のレーザーカットが、異なる電気経路／回路の経路を形づくるのを助けるために行われ得る。第１の一連のカットが作成されると、ハイポチューブは、パリレンのような電気的分離材料によってコーティングされ、それはまた、レーザーカットがなされた回路の経路を接着する働きをする。パリレンは、コンフォーマルコーティング特性と高抗張力との間の釣り合いをとるが、同様の特徴を示す他の材料もまた使用され得る。追加のレーザーカットが、任意の必要な電気／回路経路を完成させるためにさらになされ得る。パリレン絶縁体はまた、ハイポチューブを一緒に把持するのを助けることができ、かくして、回路カットは、絶縁体が予備的な回路カットに追加された後に完成させられる。回路ルートが完成させられた後、パリレンコーティングがもう一度、コンポーネントを十分にカプセル化するために着手される。最後のレーザーカッティング工程が着手され、ここで、コーティングが、回路経路内のレジスタとしての追加のワイヤの追加を可能にするために重要な場所で取り除かれるかまたは除去される。この形態におけるハイポチューブ３０は、従来のプリント回路基板と同様に機能する。
【００４１】
ハイポチューブ回路は、多数の目的のために使用され得る。たとえば、コンポーネントが、ユーザインターフェースではなく電気コンポーネントの箇所での信号のコンディショニングまたは処理を可能にするためにハイポチューブ３０自体に追加され得る。一例において、さまざまな抵抗特性の、小さいワイヤが、センサの精度を増大させるためにホイートストンブリッジを作成するために追加され得る。演算増幅器もまた、センサ値を改善するためにハイポチューブ回路２５上に統合され得る。
【００４２】
ワイヤ（たとえば、カテーテルの構造編組ワイヤ１８）は、信号をリレーするために近位のユーザインターフェースにセンサを接続する。信号処理または信号コンディショニングの多くは、議論される方法によってハイポチューブ回路自体の上でなされ得る。あるいはまたは加えて、信号処理はまた、ユーザインターフェース上でもなされ得る。
【００４３】
ハイポチューブ３０はまた、回路２５の一部として、演算増幅器、信号フィルタリング、等といった多数の信号処理エレメントを含み得る。ユーザインターフェース１６ではなくハイポチューブ３０自体において信号処理をすることの１つの利点は、ユーザインターフェースのリソースが他の目的のために解放され得るということである。加えて、信号はある距離にわたって伝達される場合に劣化し得るので、信号がユーザインターフェース１６に送り返される前にシステムの遠位部でクリーンにされることができ、かくして、システム動作への信号の劣化の影響を減じる。
【００４４】
回路の概念の１つの利点は、先に説明されたように、電気コンポーネント２６の各々がインターフェース１６に接続されたそれ独自のワイヤ１８を有することを可能にするのではなく、回路２５と電気コンポーネント２６の１つ以上へのその接続とがカテーテル１０の遠位部分１１Ａで完成させられることである。それゆえに、カテーテル管１１は、相対的により小さい外径を有するように形成されることができる。
【００４５】
電気コンポーネント２６は、撮像システム、圧力センシング、温度センシング、酸素センシング、または電力供給型カテーテル／マイクロカテーテルによって使用される任意の数の追加のシステムといった、多数の機能のために使用され得る。電気コンポーネントはまた、塞栓コイル離脱システム、および／または離脱可能なカテーテル先端システム、および／または操縦可能なガイドワイヤシステムの一部として使用され得る。
【００４６】
図７および図８は、ハイポチューブ３０の構造と同様の、ハイポチューブ３２のための代替の構造を示す。この点において、ハイポチューブ３２は、１つ以上の切り欠き３２Ａと、各々がハイポチューブ３２の内方へ歪曲または湾曲させられた複数の細長い指状接点３２Ｂとを含む。この点において、電力は接点３２Ｂに供給され得、それは、内部のカテーテルまたはプッシャー上の電気接点との接触時に、カテーテルまたはプッシャーにヒーターまたは機械メカニズムを介してインプラントを離脱させるといった機能を行わせ得る。
【００４７】
図９Ａおよび図９Ｂは、引用によってここに組み込まれる米国出願番号第１４／５７８,１０６号において開示されたものと同様の塞栓コイル４２を離脱させるために使用される接点３２Ｂを有するハイポチューブ３２の１つの例示的な使用を示す。ハイポチューブ３２は、１つ以上の遠位または近位の接点３２Ｂにそれぞれが接続された、遠位の電力端子２０と近位の端子２２とを含む。塞栓コイル４２は、コイル４２に沿った選択場所に、１つ以上の離脱ポイント４４を有する。電気接点３２Ｂが塞栓コイル４２および離脱ポイント４４とアラインメントする際、インターフェース１６は、アラインメントを示すかまたは表示し得る。ユーザがアラインメント信号を受信すると、プッシャー４０からの離脱ゾーン４４でのコイル４２の離脱を開始するためにボタンを押すといった所望のアクションがアクチュエートされ得る。ハイポチューブ３２は複数の電動コンポーネントを支持し得るので、離脱検出、温度センシング、または撮像といった機能を提供するセンサ３２Ｃもまた、ハイポチューブ３２上に含まれることができる。
【００４８】
図１０および図１１は、塞栓コイルの離脱ポイント４４のより具体的な例を示す。２つの伝導シリンダまたはスリーブ５４および５５が、粘着剤または糊着剤によって絶縁スリーブ５６の近位および遠位端に嵌め合わせられる。伝導スリーブ５４および５５は、９２／８の比のプラチナ／タングステン材料のような伝導材料で構成される。
【００４９】
ワイヤのコイルであり得るヒーター６０は、近位および遠位の伝導スリーブ５４および５５の間のエリアにわたり、その端をスリーブの各々に接続し、電流がコンポーネントの各々を通過することを可能にする。それゆえに、ハイポチューブ３２の近位および遠位の接点３２Ｂと適切にアラインメントさせられ、電流が印加された場合、ヒーターコイル６０は、温度が上昇し、絶縁スリーブの粘着剤を溶解し、塞栓コイル４２の遠位部分を離脱させる。ばね５７および５８は、塞栓コイルの伸張を防止するのを助けるためにモノフィラメントまたは紐の取り付けを可能にする。代替の実施形態では、紐が、塞栓コイル４２の２つのセグメントを一緒に把持するように２つのばね５７、５８の間を接続し得、したがって、離脱を引き起こすためにヒーター６０によって解体され得る。
【００５０】
第１４／５７８,１０６号に開示された例と同様の別の一例において、操縦可能なガイドワイヤシステムは、血管系の中のバイメタルガイドワイヤの走行を可能にするためにガイドワイヤの遠位端を歪曲させるためにガイドワイヤと電気的にインタラクトする、図９Ａおよび図９Ｂにおいて説明されたものと同様の、ハイポチューブ上の間隔をあけられたプラスとマイナスの電気接点を利用する。
【００５１】
先に議論されたように、ハイポチューブ３０およびその回路は、カテーテル１０におけるヒーターコイルに電力供給するために使用され得る。一例において、図１２および図１３は、米国出願番号第１４／５７８,０２０号において開示され、引用によってここに組み込まれる実施形態と同様の離脱可能な遠位端の先端１１Ａを有するカテーテル１０を開示する。ハイポチューブ３０が、細長い管状部分１１の遠位部分に配置され、粘着剤４８が、細長い管状部分１１に対し遠位端の先端１１Ａを維持する。ユーザは、離脱シーケンスを開始（たとえば、インターフェース１６上のボタンを押下）してヒーター４９をアクティブにすることができ、さまざまな理由のために（たとえば、カテーテルの遠位の先端１１Ａが血管系の中に糊着される危険が存在する液体塞栓のデリバリー中に）、マイクロカテーテル１０の遠位端の先端１１Ａの離脱をもたらすために粘着剤４８を溶解する。前出の例と同様に、ハイポチューブ３０は、編組構造ワイヤ１８に接続し、ヒーター４９に電気経路を提供する。この例において、ヒーター４９は、ハイポチューブ３０の内表面に隣接して配置されることも、またはハイポチューブ３０の内表面に接続されることさえもできる。
【００５２】
図１４は、図１３のハイポチューブ３０の代替の実施形態を示すが、単一のヒーター４９に接続するのではなく、ハイポチューブ３０は、近位のヒーターコイル４９Ａ、中央のヒーターコイル４９Ｂ、および遠位のヒーターコイル４９Ｃに接続する。ハイポチューブ３０は、ワイヤ１８の３つの離散ペアおよびハイポチューブ３０上の電気経路に接続され得、ヒーターコイルの各々が個々にアクティブされることを可能にする。
【００５３】
図１５は、コイルが互いにパラレルにかつ隣接して配置される点を除き図１４のハイポチューブと同様の、複数のヒーターコイル４９を有するハイポチューブ３０を示す。この点において、ハイポチューブ３０は、カテーテルの中に、またはカテーテル内の移動のためのサイズにされたプッシャー内に、のいずれかで配置され得る。
【００５４】
あるいは、ユーザインターフェースは、複数のバッテリーを含み得、複数のバッテリーに接続されたハイポチューブ上の複数の端子バンクを可能にする。別の代替例では、複数のバッテリーが使用され、１つのバッテリーに端子バンクの提供を可能にさせ、他のバッテリーは、特定のシステムのために選択的に使用される（すなわち、可変コイル離脱システムのための端子に電力供給するためにだけ使用される１つのバッテリー、および／または、離脱可能な先端カテーテルシステムのための端子に電力供給するためにだけ使用される１つのバッテリー）。かくして、たとえば、異なるシステムとインタラクトするために異なる間隔で間隔をあけられた１つのプラス接点および２つのマイナス接点が存在し得る。同様に、異なるシステムとインタラクトするために異なる間隔で間隔をあけられた１つのマイナス接点および２つのプラス接点が存在し得る。一例において、電気コンポーネントは、先に議論されているように、ハイポチューブ上の集積回路と、ワイヤ編組を介してユーザインターフェースに送られる信号とによって、使用中の精密なシステム（すなわち、可変離脱具、離脱可能な先端、操縦可能なガイドワイヤ、または別のシステム）の動作を制御し得る。別の例において、編組ワイヤが電気コンポーネントからの信号と反対にバッテリーからの電流を伝達するためにだけ使用される場合、遠位のハイポチューブの電気コンポーネントは不要であろう。この例では、ユーザインターフェース自体がさまざまなシステムのための回路を有するであろうし、カテーテルの近位端と遠位端との間で電流を伝達するために使用されるワイヤはまた、ユーザインターフェースからの信号を伝達する（すなわち、塞栓コイルを離脱させるために、またはカテーテルの先端を離脱させるために、またはガイドワイヤの先端をそらせるために入力された信号を伝達する）ためにも使用される。
【００５５】
ここで説明された実施形態およびシステムは、電力供給型カテーテルシステムを作成することにおける多くの利点を提供する。以下は、網羅的ではない一覧である。システムの主な利点の１つは、電流を伝達するためにカテーテル編組自体を使用すること、かくして、カテーテルの構造的補強に加えて、カテーテル編組に、有用な二次的な恩典を提供することである。システムの別の利点は、カテーテルの遠位端のハイポチューブ上の端子バンクに電力供給するためにカテーテル編組ワイヤの２つを使用すること、電気コンポーネントをハイポチューブ自体の上で端子バンクに直接接続させること、かくして、電気コンポーネントがハイポチューブ自体の上で電力供給されるがゆえにユーザインターフェースに電気コンポーネントを接続するために１つのワイヤしか必要としないことである。システムの別の利点は、遠位のハイポチューブを回路システムとして利用すること、および、信号処理がシステムの近位端ではなく集積回路を介してハイポチューブ自体の上でなされることを可能にする能力である。信号は長距離にわたって劣化し得るので、信号源での信号処理を提供することは、それ自体におけるおよびそれ自体のいくつかの利点を提供する。別の利点は、すべての信号を伝達するために多数のワイヤを必要とせずにいくつかの電力供給型カテーテル機能を組み合わせる能力である。
【００５６】
他の実施形態において、ここで説明されたシステムは、別個のマイナス端子源を必要としないであろうし、患者自身が、回路を完成させるために接地として使用され得るだろう。かくして、一例において、システムの近位部は、単にプラスの荷電源を含むだけであろうし、ワイヤがシステムの遠位端に電流を走らせるであろうし、患者自身が接地を備えるであろう。システムの遠位端はさらに、電気コンポーネントとともにすべての回路を利用するであろうが、これは、患者が接地を提供するがゆえに１つのワイヤだけが電流を伝達するために必要とされるであろうから、追加の電気コンポーネントを可能にするであろう。
【００５７】
他の実施形態において、代替の電流電圧源が、直流電圧源の代わりに使用され得る。
【００５８】
他の実施形態では、カテーテルシステムのための配線は、カテーテル編組を利用しないであろうが（すなわち、カテーテルが何ら編組を利用しない場合）、カテーテルの表面の外部または内部であるかまたはカテーテル管の層の間に統合されたワイヤからなる。他の実施形態では、補強コイル（単数または複数）またはリボン（単数または複数）が編組の代わりに使用され得る。
【００５９】
他の実施形態において、端子バンクは、コンデンサと置き換えられ得る。そして、コンデンサは、電圧源からの荷電を貯蔵し得る。
【００６０】
説明された実施形態は、回路システムを含む。回路システムは、カテーテル、またはマイクロカテーテル、または他のデリバリーデバイスを含む、介入デバイスを含む多数のデバイス上で使用され得る。
【００６１】
説明された実施形態は、カテーテルの二端の間で電流を伝導するためにカテーテルの構造補強層（編組として一般的に説明される）を利用する。編組という用語が使用されるが、用語は任意の構造層を説明するように広く解釈されるべきであり、かくして、編組という用語は、コイル、リボン、およびカテーテルにおいて一般に使用される他の構造コンポーネントを含み得る。
【００６２】
発明は特定の実施形態および応用例の観点で説明されているが、当業者は、この教示に鑑みて、特許請求される発明の精神から逸脱もせず、特許請求される発明の範囲を超えることもなく、追加の実施形態および変更例を生み出し得る。したがって、ここでの図面および説明は、発明の理解を容易にするために例として提供されたものであり、その範囲を限定するように解釈されるべきではない、ということが理解されるべきである。
【図１】
2018524130.tif 000003
【図２】
2018524130.tif 000004
【図３Ａ】
2018524130.tif 000005
【図３Ｂ】
2018524130.tif 000006
【図４】
2018524130.tif 000007
【図５】
2018524130.tif 000008
【図６】
2018524130.tif 000009
【図７】
2018524130.tif 000010
【図８】
2018524130.tif 000011
【図９Ａ】
2018524130.tif 000012
【図９Ｂ】
2018524130.tif 000013
【図１０】
2018524130.tif 000014
【図１１】
2018524130.tif 000015
【図１２】
2018524130.tif 000016
【図１３】
2018524130.tif 000017
【図１４】
2018524130.tif 000018
【図１５】
2018524130.tif 000019
【国際調査報告】
2018524130.tif 000020